(57)【要約】【課題】画像表示装置の処理負荷を低減しつつ所望の表示画像を高精度に得ることができる技術を提供する。【解決手段】本発明の画像表示システムにおいて、画像表示装置は、複数の光源を有する発光部と、発光部からの光を表示画像データに応じて透過する表示パネルと、対象画像データを取得する手段と、目標輝度データを取得する手段と、画像表示装置の状態に基づいて目標輝度データを補正することにより、発光輝度データを生成する手段と、発光輝度データに応じて各光源の発光輝度を制御する手段と、発光輝度データに基づいて対象画像データを補正することにより、表示画像データを生成する手段と、を有し、情報処理装置は、対象画像データに基づいて各光源の目標輝度を決定することにより、目標輝度データを生成する手段と、対象画像データを出力する手段と、目標輝度データを出力する手段と、を有する。【選択図】図１
2017161767.tif 000002
【特許請求の範囲】
【請求項１】
画像表示装置と情報処理装置を有する画像表示システムであって、
前記画像表示装置は、
複数の光源を有する発光部と、
前記発光部からの光を表示画像データに応じて透過することにより、画面に画像を表示する表示パネルと、
表示の対象である対象画像データを取得する画像データ取得手段と、
各光源の目標輝度に関するデータである目標輝度データを取得する輝度データ取得手段と、
前記画像表示装置の状態に基づいて前記目標輝度データを補正することにより、各光源の発光輝度に関するデータである発光輝度データを生成する発光補正手段と、
前記発光輝度データに応じて各光源の発光輝度を制御する制御手段と、
前記発光輝度データに基づいて前記対象画像データを補正することにより、前記表示画像データを生成する画像補正手段と、
を有し、
前記情報処理装置は、
前記対象画像データに基づいて各光源の目標輝度を決定することにより、前記目標輝度データを生成する決定手段と、
前記対象画像データを出力する画像データ出力手段と、
前記目標輝度データを出力する輝度データ出力手段と、
を有する
ことを特徴とする画像表示システム。
【請求項２】
前記目標輝度データは、各光源の目標輝度を示すデータである
ことを特徴とする請求項１に記載の画像表示システム。
【請求項３】
前記複数の光源のそれぞれは、その光源に供給された駆動信号に応じた発光輝度で発光し、
前記目標輝度データは、前記複数の光源のそれぞれについて目標輝度に対応する駆動信号を示すデータである
ことを特徴とする請求項１に記載の画像表示システム。
【請求項４】
前記情報処理装置は、前記光源の発光輝度と前記駆動信号との対応関係に関する情報である関係情報を取得する情報取得手段、をさらに有し、
前記決定手段は、前記対象画像データに基づいて各光源の目標輝度を決定し、各光源の目標輝度と、前記関係情報とに基づいて、前記目標輝度データを生成する
ことを特徴とする請求項３に記載の画像表示システム。
【請求項５】
前記画像表示装置は、前記関係情報を出力する情報出力手段、をさらに有する
ことを特徴とする請求項４に記載の画像表示システム。
【請求項６】
前記画像表示装置の前記状態は、前記発光部の劣化度合いと、前記画像表示装置の温度と、の少なくとも一方を含む
ことを特徴とする請求項１〜５のいずれか１項に記載の画像表示システム。
【請求項７】
前記画像表示装置の前記状態は、前記発光部の劣化度合いを含み、
前記画像表示装置は、
前記発光部からの光を検出する光検出手段と、
前記光検出手段の検出結果に基づいて、前記発光部の劣化度合いを判断する判断手段
と、
をさらに有する
ことを特徴とする請求項１〜６のいずれか１項に記載の画像表示システム。
【請求項８】
前記発光部の劣化度合いは、各光源の劣化度合いである
ことを特徴とする請求項６または７に記載の画像表示システム。
【請求項９】
前記画像表示装置の前記状態は、前記画像表示装置の温度を含み、
前記画像表示装置は、前記画像表示装置の温度を検出する温度検出手段、をさらに有する
ことを特徴とする請求項１〜８のいずれか１項に記載の画像表示システム。
【請求項１０】
前記画像表示装置の温度は、前記発光部の温度である
ことを特徴とする請求項６〜９のいずれか１項に記載の画像表示システム。
【請求項１１】
前記画像表示装置の温度は、各光源の温度である
ことを特徴とする請求項６〜１０のいずれか１項に記載の画像表示システム。
【請求項１２】
前記複数の光源のそれぞれは、前記画面の一部の領域である部分領域に対応付けられており、
前記決定手段は、
所定の輝度を、所定の画像の少なくとも一部が表示される部分領域である特定領域に対応付けられた光源の目標輝度として決定し、
前記特定領域でない部分領域に対応する画像領域における前記対象画像データに応じた輝度を、当該部分領域に対応付けられた光源の目標輝度として決定する
ことを特徴とする請求項１〜１１のいずれか１項に記載の画像表示システム。
【請求項１３】
前記情報処理装置は、
元画像データに画像処理を施すことにより、前記対象画像データを生成する画像処理手段と、
前記元画像データに基づいて、前記元画像データの画像領域から前記所定の画像の領域を検出し、前記画像処理と、前記所定の画像の領域の検出結果とに基づいて、前記特定領域を検出する領域検出手段と、
ことを特徴とする請求項１２に記載の画像表示システム。
【請求項１４】
前記所定の画像は、観察対象の画像領域における画像である
ことを特徴とする請求項１２または１３に記載の画像表示システム。
【請求項１５】
前記観察対象の画像領域は、撮影された被検体の画像領域を含む
ことを特徴とする請求項１４に記載の画像表示システム。
【請求項１６】
前記複数の光源は、前記画面の領域を構成する複数の分割領域にそれぞれ対応付けられており、
前記部分領域は、前記分割領域である
ことを特徴とする請求項１２〜１５のいずれか１項に記載の画像表示システム。
【請求項１７】
複数の光源を有する発光部と、
前記発光部からの光を表示画像データに応じて透過することにより、画面に画像を表示する表示パネルと、
表示の対象である対象画像データを取得する画像データ取得手段と、
各光源の目標輝度に関するデータである目標輝度データを取得する輝度データ取得手段と、
前記画像表示装置の状態に基づいて前記目標輝度データを補正することにより、各光源の発光輝度に関するデータである発光輝度データを生成する発光補正手段と、
前記発光輝度データに応じて各光源の発光輝度を制御する制御手段と、
前記発光輝度データに基づいて前記対象画像データを補正することにより、前記表示画像データを生成する画像補正手段と、
を有する画像表示装置に接続可能な情報処理装置であって、
前記情報処理装置は、
前記対象画像データに基づいて各光源の目標輝度を決定することにより、前記目標輝度データを生成する決定手段と、
前記対象画像データを出力する画像データ出力手段と、
前記目標輝度データを出力する輝度データ出力手段と、
を有することを特徴とする情報処理装置。
【請求項１８】
表示の対象である対象画像データに基づいて画像表示装置の各光源の目標輝度を決定することにより、各光源の目標輝度に関するデータである目標輝度データを生成する決定手段と、
前記対象画像データを出力する画像データ出力手段と、
前記目標輝度データを出力する輝度データ出力手段と、
を有する情報処理装置に接続可能な画像表示装置であって、
複数の光源を有する発光部と、
前記発光部からの光を表示画像データに応じて透過することにより、画面に画像を表示する表示パネルと、
前記対象画像データを取得する画像データ取得手段と、
前記目標輝度データを取得する輝度データ取得手段と、
前記画像表示装置の状態に基づいて前記目標輝度データを補正することにより、各光源の発光輝度に関するデータである発光輝度データを生成する発光補正手段と、
前記発光輝度データに応じて各光源の発光輝度を制御する制御手段と、
前記発光輝度データに基づいて前記対象画像データを補正することにより、前記表示画像データを生成する画像補正手段と、
を有することを特徴とする画像表示装置。
【請求項１９】
画像表示装置と情報処理装置を有する画像表示システムの制御方法であって、
前記画像表示装置は、
複数の光源を有する発光部と、
前記発光部からの光を表示画像データに応じて透過することにより、画面に画像を表示する表示パネルと、
を有し、
前記制御方法は、
前記画像表示装置が、表示の対象である対象画像データを取得するステップと、
前記画像表示装置が、各光源の目標輝度に関するデータである目標輝度データを取得するステップと、
前記画像表示装置が、前記画像表示装置の状態に基づいて前記目標輝度データを補正することにより、各光源の発光輝度に関するデータである発光輝度データを生成するステップと、
前記画像表示装置が、前記発光輝度データに応じて各光源の発光輝度を制御するステップと、
前記画像表示装置が、前記発光輝度データに基づいて前記対象画像データを補正することにより、前記表示画像データを生成するステップと、
前記情報処理装置が、前記対象画像データに基づいて各光源の目標輝度を決定することにより、前記目標輝度データを生成するステップと、
前記情報処理装置が、前記対象画像データを出力するステップと、
前記情報処理装置が、前記目標輝度データを出力するステップと、
を有する
ことを特徴とする制御方法。
【請求項２０】
請求項１９に記載の制御方法の各ステップをコンピュータに実行させることを特徴とするプログラム。
【発明の詳細な説明】
【技術分野】
【０００１】
本発明は、画像表示システム、画像表示装置、及び、情報処理装置に関する。
【背景技術】
【０００２】
液晶パネルとバックライトモジュールを有する画像表示装置に関する技術として、ローカルディミング（ＬＤ）制御と呼ばれる技術が知られている。ＬＤ制御では、入力画像データに応じてバックライトモジュールの発光輝度（発光量）が部分的に変更され、バックライトモジュールの発光輝度に基づいて入力画像データが補正される。それにより、表示画像（画面に表示された画像）のコントラスト比を向上することができる。ＬＤ制御は、例えば、特許文献１に開示されている。
【０００３】
医療用画像を表示する場合には、高い色再現性が望まれる画像領域において、所定の規格に準じた表示階調特性での画像表示を行う必要がある。「高い色再現性が望まれる画像領域」は、例えば、診断に用いる画像領域（診断領域）、観察対象（撮影された被検体など）の画像領域、等である。そして、診断領域ではＬＤ制御を行わず、且つ、診断領域以外の領域（背景）でＬＤ制御を行うことにより、診断領域において所定の規格に準じた画像表示を行うことができ、且つ、画面全体のコントラスト比を向上することができる。上記処理を実現するためには、入力画像データを解析することよって診断領域を検出する検出処理と、検出処理の結果に基づいて、バックライトモジュールの発光輝度を制御し、且つ、入力画像データを補正する制御・補正処理とが必要となる。従来は、これらの処理（検出処理、及び、制御・補正処理）の全てが画像表示装置で行われていた。
【０００４】
しかしながら、画像表示装置の限られたリソースでは、入力画像データの解析により、診断領域が誤検出されることがある。図１２（Ａ）は、誤検出が生じた場合の表示画像の一例を示す。図１２（Ａ）の例では、画像表示装置は、検出処理として、低輝度の画像領域を背景として検出する簡易な処理を行う。そして、図１２（Ａ）の例では、診断に用いられる画像の内側に、低輝度且つ大サイズの画像領域（低輝度診断領域）が存在する。そのため、低輝度診断領域が、診断に用いられる画像領域であるにも拘らず、背景とみなされてしまう。その結果、低輝度診断領域に対応する画像領域（図１２（Ａ）の破線で囲まれた領域）において、バックライトモジュールの発光輝度が低減され、診断に用いられる画像領域内に表示ムラ（輝度ムラ、色ムラ、等）が生じてしまう。
【０００５】
なお、画像表示装置のハードウェアのリソース、画像表示装置のソフトウェアのリソース、等を強化することで、画像表示装置に複雑な処理を行わせることが可能となり、上述した誤検出を低減することが可能となる。しかしながら、画像表示装置のリソースの強化は、画像表示装置のコストの増加をまねく。
【０００６】
また、ＰＣ（Ｐｅｒｓｏｎａｌ  Ｃｏｍｐｕｔｅｒ）などの情報処理装置が、上述した検出処理、発光輝度決定処理、発光制御処理、画像補正処理、及び、表示制御処理を行う方法が考えられる。発光輝度決定処理は、画像表示装置のバックライトモジュールの発光輝度を、検出処理の結果に基づいて決定する処理である。発光制御処理は、決定した発光輝度に応じた駆動信号でのバックライトモジュールの駆動を、画像表示装置に行わせる処理である。画像補正処理は、決定した発光輝度に基づいて画像データを補正する処理である。表示制御処理は、補正後の画像データに応じた駆動信号での液晶パネルの駆動を画像表示装置に行わせる処理である。
【０００７】
このような方法によれば、情報処理装置の豊富なリソースを用いて、診断領域を高精度
に検出することができる。しかしながら、画像表示装置では、劣化補正処理、ドリフト補正処理、等の補正処理を行うことができない。劣化補正処理は、バックライトモジュールの劣化度合いに応じてバックライトモジュールの発光輝度を補正する処理、液晶パネルの劣化度合いに応じて画像データを補正する処理、等である。ドリフト補正処理は、画像表示装置（バックライトモジュール）の温度に応じてバックライトモジュールの発光輝度を補正する処理、画像表示装置（液晶パネル）の温度に応じて画像データを補正する処理、等である。そのため、所望の表示画像と大きく異なる表示画像（画質が大きく劣化した表示画像など）が得られてしまうことがある。
【０００８】
図１２（Ｂ）は、劣化補正処理、ドリフト補正処理、等の補正処理を行うことができない上記方法における表示画像の一例を示す。図１２（Ｂ）の例では、情報処理装置の検出処理により、診断領域が正確に検出される。そして、情報処理装置の発光制御処理により、診断領域に対応する画像領域（図１２（Ｂ）の破線で囲まれた領域）において、バックライトモジュールが有する複数の光源が、同じ駆動信号で駆動される。しかしながら、図１２（Ｂ）の例では、診断領域に対応する画像領域において、光源間における劣化度合い又は温度のばらつきが生じている。そのため、光源間における発光輝度のばらつきが生じ、診断領域内に表示ムラが生じてしまう。
【先行技術文献】
【特許文献】
【０００９】
【特許文献１】特開２００２−９９２５０号公報
【発明の概要】
【発明が解決しようとする課題】
【００１０】
本発明は、画像表示装置の処理負荷を低減しつつ所望の表示画像を高精度に得ることができる技術を提供することを目的とする。
【課題を解決するための手段】
【００１１】
本発明の第１の態様は、
画像表示装置と情報処理装置を有する画像表示システムであって、
前記画像表示装置は、
複数の光源を有する発光部と、
前記発光部からの光を表示画像データに応じて透過することにより、画面に画像を表示する表示パネルと、
表示の対象である対象画像データを取得する画像データ取得手段と、
各光源の目標輝度に関するデータである目標輝度データを取得する輝度データ取得手段と、
前記画像表示装置の状態に基づいて前記目標輝度データを補正することにより、各光源の発光輝度に関するデータである発光輝度データを生成する発光補正手段と、
前記発光輝度データに応じて各光源の発光輝度を制御する制御手段と、
前記発光輝度データに基づいて前記対象画像データを補正することにより、前記表示画像データを生成する画像補正手段と、
を有し、
前記情報処理装置は、
前記対象画像データに基づいて各光源の目標輝度を決定することにより、前記目標輝度データを生成する決定手段と、
前記対象画像データを出力する画像データ出力手段と、
前記目標輝度データを出力する輝度データ出力手段と、
を有する
ことを特徴とする画像表示システムである。
【００１２】
本発明の第２の態様は、
複数の光源を有する発光部と、
前記発光部からの光を表示画像データに応じて透過することにより、画面に画像を表示する表示パネルと、
表示の対象である対象画像データを取得する画像データ取得手段と、
各光源の目標輝度に関するデータである目標輝度データを取得する輝度データ取得手段と、
前記画像表示装置の状態に基づいて前記目標輝度データを補正することにより、各光源の発光輝度に関するデータである発光輝度データを生成する発光補正手段と、
前記発光輝度データに応じて各光源の発光輝度を制御する制御手段と、
前記発光輝度データに基づいて前記対象画像データを補正することにより、前記表示画像データを生成する画像補正手段と、
を有する画像表示装置に接続可能な情報処理装置であって、
前記情報処理装置は、
前記対象画像データに基づいて各光源の目標輝度を決定することにより、前記目標輝度データを生成する決定手段と、
前記対象画像データを出力する画像データ出力手段と、
前記目標輝度データを出力する輝度データ出力手段と、
を有することを特徴とする情報処理装置である。
【００１３】
本発明の第３の態様は、
表示の対象である対象画像データに基づいて画像表示装置の各光源の目標輝度を決定することにより、各光源の目標輝度に関するデータである目標輝度データを生成する決定手段と、
前記対象画像データを出力する画像データ出力手段と、
前記目標輝度データを出力する輝度データ出力手段と、
を有する情報処理装置に接続可能な画像表示装置であって、
複数の光源を有する発光部と、
前記発光部からの光を表示画像データに応じて透過することにより、画面に画像を表示する表示パネルと、
前記対象画像データを取得する画像データ取得手段と、
前記目標輝度データを取得する輝度データ取得手段と、
前記画像表示装置の状態に基づいて前記目標輝度データを補正することにより、各光源の発光輝度に関するデータである発光輝度データを生成する発光補正手段と、
前記発光輝度データに応じて各光源の発光輝度を制御する制御手段と、
前記発光輝度データに基づいて前記対象画像データを補正することにより、前記表示画像データを生成する画像補正手段と、
を有することを特徴とする画像表示装置である。
【００１４】
本発明の第４の態様は、
画像表示装置と情報処理装置を有する画像表示システムの制御方法であって、
前記画像表示装置は、
複数の光源を有する発光部と、
前記発光部からの光を表示画像データに応じて透過することにより、画面に画像を表示する表示パネルと、
を有し、
前記制御方法は、
前記画像表示装置が、表示の対象である対象画像データを取得するステップと、
前記画像表示装置が、各光源の目標輝度に関するデータである目標輝度データを取得
するステップと、
前記画像表示装置が、前記画像表示装置の状態に基づいて前記目標輝度データを補正することにより、各光源の発光輝度に関するデータである発光輝度データを生成するステップと、
前記画像表示装置が、前記発光輝度データに応じて各光源の発光輝度を制御するステップと、
前記画像表示装置が、前記発光輝度データに基づいて前記対象画像データを補正することにより、前記表示画像データを生成するステップと、
前記情報処理装置が、前記対象画像データに基づいて各光源の目標輝度を決定することにより、前記目標輝度データを生成するステップと、
前記情報処理装置が、前記対象画像データを出力するステップと、
前記情報処理装置が、前記目標輝度データを出力するステップと、
を有する
ことを特徴とする制御方法である。
【００１５】
本発明の第５の態様は、上述した制御方法の各ステップをコンピュータに実行させることを特徴とするプログラムである。
【発明の効果】
【００１６】
本発明によれば、画像表示装置の処理負荷を低減しつつ所望の表示画像を高精度に得ることができる。
【図面の簡単な説明】
【００１７】
【図１】実施例１に係る画像表示システムの構成の一例を示す構成図
【図２】実施例１に係るＬＤ禁止領域と表示画像の一例を示す図
【図３】実施例１に係るＬＤ禁止領域と表示画像の一例を示す図
【図４】実施例１に係るＬＤ禁止領域と表示画像の一例を示す図
【図５】実施例１に係るＬＤ禁止領域と表示画像の一例を示す図
【図６】実施例１に係る通信の一例を示すシーケンス図
【図７】実施例１に係る情報処理装置の動作の一例を示すフローチャート
【図８】実施例１に係る画像表示装置の動作の一例を示すフローチャート
【図９】実施例２に係る画像表示システムの構成の一例を示す構成図
【図１０】実施例２に係る情報処理装置の動作の一例を示すフローチャート
【図１１】実施例２に係る画像表示装置の動作の一例を示すフローチャート
【図１２】本発明により解決される課題の一例を示す図
【発明を実施するための形態】
【００１８】
＜実施例１＞
以下、本発明の実施例１について説明する。図１は、本実施例に係る画像表示システムの構成の一例を示す構成図である。本実施例に係る画像表示システムは、情報処理装置１００と画像表示装置２００を有する。情報処理装置１００は、情報処理装置１００の外部装置に接続可能であり、画像表示装置２００は、画像表示装置２００の外部装置に接続可能である。図１の例では、接続ケーブル３００を用いて、情報処理装置１００と画像表示装置２００が互いに接続されている。
【００１９】
情報処理装置１００は、表示の対象である対象画像データの出力、画像表示装置２００が有する各光源の目標輝度（発光輝度の目標）に関するデータである目標輝度データの出力、制御信号の入出力、パラメータの入出力、等を行う。また、情報処理装置１００は、様々な情報処理を行う。情報処理装置１００としては、ＰＣ（Ｐｅｒｓｏｎａｌ  Ｃｏｍｐｕｔｅｒ）などを使用することができる。画像表示装置２００は、対象画像データの取
得、目標輝度データの取得、制御信号の入出力、パラメータの入出力、等を行う。また、画像表示装置２００は、対象画像データと目標輝度データに基づく画像の表示などを行う。本実施例では、接続ケーブル３００を用いて、情報処理装置１００から画像表示装置２００へ、対象画像データと目標輝度データが直接的に伝送される。また、接続ケーブル３００を用いて、情報処理装置１００と画像表示装置２００の間で、制御信号とパラメータが直接的に伝送される。
【００２０】
なお、図１には、接続ケーブル３００内に、対象画像データの伝送路、目標輝度データの伝送路、及び、制御信号とパラメータの伝送路の３系統の伝送路が示されているが、伝送路の数は特に限定されない。例えば、対象画像データ、目標輝度データ、制御信号、及び、パラメータの伝送のための１系統の伝送路が使用されてもよい。即ち、対象画像データの伝送路、目標輝度データの伝送路、及び、制御信号とパラメータの伝送路が同じであってもよい。対象画像データ、目標輝度データ、制御信号、及び、パラメータの一部の伝送路と、対象画像データ、目標輝度データ、制御信号、及び、パラメータの残りの伝送路との２系統の伝送路が使用されてもよい。制御信号の伝送路は、パラメータの伝送路と異なっていてもよい。
【００２１】
なお、対象画像データ、目標輝度データ、制御信号、及び、パラメータの少なくともいずれかは、情報処理装置１００と画像表示装置２００の間で間接的に伝送されてもよい。例えば、対象画像データの伝送、目標輝度データの伝送、制御信号の伝送、及び、パラメータの伝送の少なくともいずれかとして、情報処理装置１００と画像表示装置２００を異なる他の装置を介した間接的な伝送が行われてもよい。また、情報処理装置１００は、無線で画像表示装置２００に接続されてもよい。そして、対象画像データ、目標輝度データ、制御信号、及び、パラメータの少なくともいずれかは、無線通信によって伝送されてもよい。
【００２２】
情報処理装置１００の構成について説明する。以下で述べる各処理は、例えば、情報処理装置１００がビューワプログラムを実行した場合に行われる。
【００２３】
第１制御部１０１は、接続ケーブル３００を用いた制御信号とパラメータの入出力を行う。また、第１制御部１０１は、情報処理装置１００の各機能部の処理の制御を行う。例えば、第１制御部１０１は、情報処理装置１００で使用されるパラメータの設定、画像の展開のための展開指示、画像の変形のための変形指示、グラフィック画像の描画のための描画指示、等を行う。
【００２４】
画像記憶部１０２は、画像データを記憶する記憶部である。画像記憶部１０２には、１つ以上の画像データが予め記録されている。画像記憶部１０２としては、フラッシュメモリなどの半導体メモリ、ＨＤＤ（Ｈａｒｄ  Ｄｉｓｋ  Ｄｒｉｖｅ）などの磁気ディスク、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ブルーレイディスク、等の光ディスク、等を使用することができる。なお、画像記憶部１０２は、情報処理装置１００に内蔵された記憶部であってもよいし、情報処理装置１００に対して着脱可能な記憶装置であってもよい。
【００２５】
画像展開部１０３は、第１制御部１０１からの展開指示に応じて、画像記憶部１０２から画像データを読み出して展開する。以後、画像記憶部１０２から読み出された画像データを「元画像データ」と記載する。画像展開部１０３は、元画像データに対して必要に応じて画像処理を施すことにより、対象画像データを生成する。例えば、画像展開部１０３は、第１制御部１０１からの変形指示に応じて、元画像データに変形処理を施す。変形処理は、画像を拡大する拡大処理、画像を縮小する縮小処理、画像を歪ませる歪み処理、画像から一部を抽出する抽出処理、等である。また、画像展開部１０３は、第１制御部１０
１からの描画指示に応じて、元画像データに描画処理を施す。描画処理は、画像上にグラフィック画像を描画する処理である。そして、画像展開部１０３は、接続ケーブル３００を介して画像表示装置２００へ、対象画像データを出力する（画像データ出力処理）。画像展開部１０３は、特徴量取得部１０４へも対象画像データを出力する。画像処理が行われた場合には、画像処理後の画像データが対象画像データとして出力され、画像処理が行われなかった場合には、元画像データが対象画像データとして出力される。
【００２６】
特徴量取得部１０４は、画像展開部１０３からの対象画像データの特徴量を取得する。本実施例では、画像表示装置２００が有する複数の光源のそれぞれは、画像表示装置２００の画面の一部の領域である部分領域に対応付けられている。具体的には、複数の光源が、画像表示装置２００の画面の領域を構成する複数の分割領域にそれぞれ対応付けられている。そして、分割領域が部分領域として使用される。特徴量取得部１０４は、複数の分割領域のそれぞれについて、その分割領域に対応する画像領域における対象画像データの特徴量を取得する。「分割領域に対応する画像領域」は、「分割領域に表示される画像領域」とも言える。特徴量として、例えば、分割領域（部分領域）に対応する画像領域における画素値の代表値（最大値、最小値、平均値、中間値、最頻値、等）、分割領域に対応する画像領域における画素値のヒストグラム、等が取得される。特徴量として、分割領域に対応する画像領域における輝度値の代表値、分割領域に対応する画像領域における輝度値のヒストグラム、等が取得されてもよい。
【００２７】
本実施例では、分割領域に関する情報（分割領域情報）が、第１制御部１０１から特徴量取得部１０４へ通知される。具体的には、第１制御部１０１は、接続ケーブル３００を介して画像表示装置２００から分割領域情報を取得し、取得した分割領域情報を特徴量取得部１０４へ出力する。特徴量取得部１０４は、分割領域情報を用いて分割領域を判断し、上述した処理を行う。分割領域情報は、例えば、分割領域の数、各分割領域の位置、各分割領域のサイズ、等を示す。
【００２８】
なお、第１制御部１０１は、画像表示装置２００とは異なる装置から分割領域情報を取得してもよい。例えば、第１制御部１０１は、インターネットに接続された他の装置（サーバなど）から分割領域情報を取得してもよい。第１制御部１０１が分割領域情報を予め記憶していてもよい。また、部分領域は分割領域に限られない。部分領域は他の部分領域から離れていてもよいし、部分領域の少なくとも一部が他の部分領域の少なくとも一部に重なっていてもよい。部分領域と光源の対応関係は、１対１の対応関係でなくてもよい。例えば、１つの部分領域に対して２つ以上の光源が対応付けられていてもよい。また、複数の部分領域の配置は特に限定されない。例えば、マトリクス状に配置された複数の領域が複数の部分領域として使用されてもよいし、千鳥格子状に配置された複数の領域が複数の部分領域として使用されてもよい。
【００２９】
目標輝度決定部１０５は、対象画像データに基づいて各光源の目標輝度を決定する。目標輝度の決定方法は特に限定されない。本実施例では、目標輝度決定部１０５は、特徴量取得部１０４によって取得された特徴量（複数の分割領域にそれぞれ対応する複数の特徴量）に応じて、各光源の目標輝度を決定する。具体的には、目標輝度決定部１０５は、複数の光源のそれぞれについて、その光源に対応する分割領域に対して取得された特徴量に応じて、当該光源の目標輝度を決定する。そして、目標輝度決定部１０５は、第１制御部１０１からの指示に従って、目標輝度の補正を行う。具体的には、第１制御部１０１は、ＬＤ禁止領域情報を目標輝度決定部１０５へ通知する。ＬＤ禁止領域情報は、所定の画像の少なくとも一部が表示される分割領域であるＬＤ禁止領域（特定領域）に関する情報である。そして、目標輝度決定部１０５は、ＬＤ禁止領域に対応付けられた光源の目標輝度を、所定の輝度（基準輝度）に補正する。
【００３０】
本実施例では、所定の画像は、観察対象の画像領域における画像（観察画像）である。観察対象の画像領域は、撮影された被検体の画像領域を含む。被検体は、例えば、組織片、人体、日用品、芸術品、電子部品、等である。なお、所定の画像、観察対象の画像領域、等は特に限定されない。例えば、観察対象であるか否かに拘らず、所定の物体（自動車、木、人物、等）の画像が、所定の画像として使用されてもよい。撮影によって得られた画像ではなく、イラストなどの画像が、所定の画像として使用されてもよい。高い色再現性が望まれる画像領域における画像が、所定の画像として使用されてもよい。また、基準輝度は特に限定されない。例えば、基準輝度は、各光源の発光輝度を個別に制御するローカルディミング制御を行わない場合に使用される目標輝度である。即ち、基準輝度は、各光源の発光輝度を同じ輝度に制御する場合に使用される目標輝度である。
【００３１】
上記処理により、本実施例では、所定の輝度が、ＬＤ禁止領域に対応付けられた光源の目標輝度として決定される。その結果、ＬＤ禁止領域では、高い色再現性が保障される。そして、ＬＤ禁止領域でない部分領域に対応する画像領域における対象画像データに応じた輝度が、当該部分領域に対応付けられた光源の目標輝度として決定される。その結果、ＬＤ禁止領域でない部分領域は、画面全体のコントラスト比の向上に寄与する。表示画像なお、ＬＤ禁止領域に対応付けられた光源については、特徴量に応じて目標輝度を決定する処理が省略されてもよい。
【００３２】
本実施例では、第１制御部１０１は、元画像データと、画像展開部１０３の画像処理の実行状態とに基づいて、ＬＤ禁止領域を検出する（領域検出処理）。そして、第１制御部１０１は、ＬＤ禁止領域に基づいてＬＤ禁止領域情報を生成し、生成したＬＤ禁止領域情報を出力する。「画像展開部１０３の画像処理の実行状態」は、「対象画像データの生成のための画像処理の有無」、「対象画像データの生成のために行われた画像処理の内容」、等を含む。具体的には、第１制御部１０１は、元画像データに基づいて、元画像データの画像領域から、観察画像の領域（観察領域）を検出する。次に、第１制御部１０１は、元画像データと対象画像データを比較することにより、画像展開部１０３の画像処理の実行状態を判断する。そして、第１制御部１０１は、観察領域の検出結果と、画像展開部１０３の画像処理の実行状態とに基づいてＬＤ禁止領域を検出する。
【００３３】
図２（Ａ）〜２（Ｃ）を用いて、ＬＤ禁止領域の検出の具体例を説明する。図２（Ａ）は、元画像データによって表された画像（元画像）の一例を示す。図２（Ａ）の元画像は、観察領域として、被検体領域（撮影された被検体の画像領域）を含む。図２（Ｂ）は、図２（Ａ）の元画像に対する画像解析によって検出された観察領域の一例を示す。図２（Ｂ）は、元画像データの平均階調値（ＡＰＬ；Ａｖｅｒａｇｅ  Ｐｉｃｔｕｒｅ  Ｌｅｖｅｌ）よりも高い階調値を有する複数の画素によって囲まれた領域を観察領域として検出する処理の結果を示す。図２（Ａ），２（Ｂ）から、観察領域として、被検体領域が正しく検出できていることがわかる。図２（Ｃ）は、図２（Ｂ）の観察領域を用いて検出されたＬＤ禁止領域の一例を示す図である。図２（Ｃ）は、対象画像データの生成のための画像処理として、図２（Ａ）の元画像を右寄りに配置する画像処理が行われた場合の例を示す。図２（Ｃ）に示すように、検出された観察領域の少なくとも一部を含む分割領域が、ＬＤ禁止領域として検出される。検出された観察領域の少なくとも一部を含む分割領域は、検出された観察領域、分割領域情報、画像展開部１０３の画像処理の実行状態、等に基づいて判断することができる。例えば、検出された観察領域が、行われた画像処理に基づいて補正され、ＬＤ禁止領域が、補正後の観察領域と分割領域情報とに基づいて検出される。このように、本実施例では、画像展開部１０３の画像処理の実行状態を考慮して、ＬＤ禁止領域が高精度に検出される。なお、対象画像データの生成のための画像処理が行われなかった場合には、例えば、元画像の画像領域全体が画面の領域全体に対応するものとみなされる。
【００３４】
なお、観察領域の検出方法は、上記方法に限られない。第１制御部１０１は、元画像データの種類などに応じて観察領域の検出方法を切り替えてもよい。例えば、第１制御部１０１がプログラムを実行することにより、観察領域の検出が行われる。その場合には、第１制御部１０１は、元画像データの種類などに応じてプログラムを切り替えて実行することにより、観察領域の検出方法を切り替えることができる。観察領域の検出は、情報処理装置１００で行われる。そのため、第１制御部１０１は、観察領域の検出に情報処理装置１００の豊富なリソースを使用することができ、観察領域の検出として複雑な処理を行うことができる。その結果、観察領域を高精度に検出することができ、ひいてはＬＤ禁止領域を高精度に検出することができる。
【００３５】
なお、ＬＤ禁止領域の検出方法は上記方法に限られない。例えば、第１制御部１０１は、元画像データに対する画像解析を行わずに、ＬＤ禁止領域を検出してもよい。具体的には、第１制御部１０１は、対応画像データに対する画像解析により、画像展開部１０３の画像処理の実行状態を考慮した観察領域を検出してもよい。そして、第１制御部１０１は、検出した観察領域に基づいてＬＤ禁止領域を検出してもよい。また、第１制御部１０１は、変形指示、描画指示、等の指示の実行状態を管理してもよい。そして、第１制御部１０１は、元画像データと対象画像データの比較を行わずに、指示の実行状態から、画像展開部１０３の画像処理の実行状態を判断してもよい。画像展開部１０３は、画像展開部１０３の画像処理の実行状態を第１制御部１０１へ通知してもよい。そして、第１制御部１０１は、元画像データと対象画像データの比較を行わずに、画像展開部１０３からの通知された実行状態に基づいて、ＬＤ禁止領域を検出してもよい。
【００３６】
ＰＷＭ仮決定部１０６は、目標輝度決定部１０５によって決定された目標輝度（各光源の目標輝度）に基づいて、目標輝度データを生成する。そして、ＰＷＭ仮決定部１０６は、接続ケーブル３００を介して画像表示装置２００へ、目標輝度データを出力する（輝度データ出力処理）。複数の光源のそれぞれは、その光源に供給された駆動信号に応じた発光輝度で発光する。ＰＷＭ仮決定部１０６は、複数の光源のそれぞれについて目標輝度に対応する駆動信号を示すデータを、目標輝度データとして生成する。本実施例では、駆動信号であるパルス信号のデューティ比を変えることで、発光輝度が変更される。ＰＷＭ仮決定部１０６は、複数の光源のそれぞれについて、目標輝度に対応するデューティ比を示すＰＷＭ値（Ｐｕｌｓｅ  Ｗｉｄｔｈ  Ｍｏｄｕｌａｔｉｏｎ）を決定する。そして、ＰＷＭ仮決定部１０６は、複数の光源のそれぞれについて目標輝度に対応するＰＷＭ値を示すデータを、目標輝度データとして生成する。
【００３７】
本実施例では、光源の発光輝度と駆動信号（ＰＷＭ値）との対応関係に関する情報である関係情報が、第１制御部１０１からＰＷＭ仮決定部１０６へ通知される。具体的には、第１制御部１０１は、接続ケーブル３００を介して画像表示装置２００から関係情報を取得し（情報取得処理）、取得した関係情報をＰＷＭ仮決定部１０６へ出力する。ＰＷＭ仮決定部１０６は、各光源の目標輝度と、関係情報とに基づいて、目標輝度データを生成する。具体的には、ＰＷＭ仮決定部１０６は、複数の光源のそれぞれについて、目標輝度に対応するＰＷＭ値を、関係情報を用いて判断する。そして、ＰＷＭ仮決定部１０６は、判断したＰＷＭ値（各光源のＰＷＭ値）から、目標輝度データを生成する。関係情報は、例えば、発光輝度とＰＷＭ値の対応関係を示す関数、発光輝度とＰＷＭ値の対応関係を示すテーブル、等である。
【００３８】
なお、第１制御部１０１は、画像表示装置２００とは異なる装置から関係情報を取得してもよい。例えば、第１制御部１０１は、インターネットに接続された他の装置（サーバなど）から関係情報を取得してもよい。第１制御部１０１が関係情報を予め記憶していてもよい。また、駆動信号の値はデューティ比（ＰＷＭ値）に限られない。例えば、駆動信号であるパルス信号のパルス幅、パルス振幅、及び、パルス数の少なくともいずれかを変
えることで、発光輝度が変更されてもよい。そのため、パルス幅、パルス振幅、パルス数、及び、デューティ比の少なくともいずれかが、駆動信号の値として使用されてもよい。
【００３９】
画像表示装置２００の構成について説明する。なお、本実施例では、画像表示装置２００が液晶表示装置である場合の例を説明するが、画像表示装置２００は液晶表示装置に限られない。画像表示装置２００は、画像データに基づいて光を透過することで画面に画像を表示する画像表示装置であればよい。例えば、画像表示装置２００は、表示素子としてＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式表示装置であってもよい。
【００４０】
第２制御部２０１は、接続ケーブル３００を用いた制御信号とパラメータの入出力を行う。例えば、第２制御部２０１は、接続ケーブル３００を介して情報処理装置１００へ分割領域情報を出力する。また、第２制御部２０１は、接続ケーブル３００を介して情報処理装置１００へ関係情報を出力する（情報出力処理）。
【００４１】
ＰＷＭ補正部２０２は、接続ケーブル３００を介して情報処理装置１００から目標輝度データを取得する（輝度データ取得処理）。ＰＷＭ補正部２０２は、画像表示装置２００の状態に基づいて目標輝度データを補正することにより、各光源の発光輝度に関するデータである発光輝度データを生成する（発光補正処理）。具体的には、ＰＷＭ補正部２０２は、複数の光源のそれぞれについて、ＰＷＭ補正パラメータ決定部２０３により決定されたＰＷＭ補正パラメータを用いて、目標輝度データにより示されたＰＷＭ値を補正する。それにより、複数の光源のそれぞれについて補正後のＰＷＭ値を示すデータが、発光輝度データとして生成される。そして、ＰＷＭ補正部２０２は、発光輝度データに応じて各光源の発光輝度を制御する。具体的には、ＰＷＭ補正部２０２は、補正後のＰＷＭ値に応じた駆動信号で各光源を駆動する。また、ＰＷＭ補正部２０２は、発光輝度データを輝度推定部２０７へ出力する。
【００４２】
ＰＷＭ補正パラメータ決定部２０３は、画像表示装置２００の状態に基づいてＰＷＭ補正パラメータを決定し、ＰＷＭ補正パラメータをＰＷＭ補正部２０２へ出力する。本実施例では、画像表示装置２００の状態は、バックライトモジュール２０６の劣化度合いと、画像表示装置２００の温度とを含む。ＰＷＭ補正パラメータ決定部２０３には、ＰＷＭ値、劣化度合い、及び、温度の組み合わせと、光源の想定輝度（想定された発光輝度）との対応関係に関する情報（関数、テーブル、等；輝度変化情報）が予め記録されている。ＰＷＭ補正パラメータ決定部２０３は、複数の光源のそれぞれについて、目標輝度データのＰＷＭ値、輝度変換情報、第１センサ部２０４の検出値、及び、第２センサ部２０５の検出値に基づいて、ＰＷＭ補正パラメータを決定する。具体的には、上記４つの情報に基づいて、基準状態（基準の劣化度合い、及び、基準の温度）からの画像表示装置２００の状態の変化に起因した光源の発光輝度の変化が検出される。ここで、「光源の発光輝度の変化」は、「目標輝度データのＰＷＭ値に応じた駆動信号で光源を駆動した場合における発光輝度の変化」が検出される。そして、検出された変化（発光輝度の変化）を低減するパラメータが、ＰＷＭ補正パラメータとして決定される。ここで、「低減」は「相殺」を含む。
【００４３】
なお、輝度変化情報として、複数の光源に共通の１つの情報が使用されてもよいし、複数の光源にそれぞれ対応する複数の情報が使用されてもよい。また、輝度変化情報は上記情報に限られない。例えば、ＰＷＭ値、劣化度合い、及び、温度の組み合わせと、ＰＷＭ補正パラメータとの対応関係に関する情報が、輝度変化情報として使用されてもよい。そのような輝度変化情報を使用すれば、上述した発光輝度の変化を検出せずに、ＰＷＭ補正パラメータを得ることができる。具体的には、画像表示装置２００の現在の状態に対応するＰＷＭ補正パラメータを、輝度変化情報から取得することができる。また、基準状態か
らの画像表示装置２００の状態の変化に起因した発光輝度の変化がＰＷＭ値に依存しない場合には、ＰＷＭ値を考慮せずに、ＰＷＭ補正パラメータが決定されてもよい。例えば、劣化度合い及び温度の組み合わせと、ＰＷＭ補正パラメータとの対応関係に関する情報が、輝度変化情報として使用されてもよい。そして、輝度変換情報、第１センサ部２０４の検出値、及び、第２センサ部２０５の検出値に基づいて、ＰＷＭ補正パラメータが決定されてもよい。
【００４４】
なお、基準状態（基準の劣化度合い、及び、基準の温度）は特に限定されない。また、画像表示装置２００の状態として、バックライトモジュール２０６の劣化度合いと、画像表示装置２００の温度との少なくとも一方が考慮されなくてもよい。例えば、バックライトモジュール２０６の劣化に起因した発光輝度の変化は急激な変化ではない。そのため、バックライトモジュール２０６の劣化度合いを常に考慮する必要は無い。画像表示装置２００の状態として、他の状態が考慮されてもよい。例えば、画像表示装置２００の状態として、画像表示装置２００の周囲の明るさなどが考慮されてもよい。
【００４５】
第１センサ部２０４は、画像表示装置２００の温度を検出する温度センサ（温度検出センサ）である。第１センサ部２０４は、検出した温度を示す検出値を、ＰＷＭ補正パラメータ決定部２０３へ通知する。なお、光源の発光輝度の変化は、バックライトモジュール２０６の温度の変化に起因して生じる。そのため、第１センサ部２０４によってバックライトモジュール２０６の温度が検出されることが好ましい。また、光源の発光輝度の変化は、当該光源の温度の変化に起因して生じる。そのため、第１センサ部２０４によって各光源の温度が個別に検出されることがより好ましい。具体的には、複数の光源にそれぞれ対応する複数の温度センサが使用されることが好ましい。その場合には、ＰＷＭ補正パラメータ決定部２０３において、光源のＰＷＭ補正パラメータを決定するために、当該光源に対応する温度センサの検出値が使用される。それにより、光源間における温度のばらつきに起因した光源間における発光輝度のムラの発生を抑制することができる。
【００４６】
第２センサ部２０５は、バックライトモジュール２０６からの光を検出する光センサ（光検出センサ）である。第２センサ部２０５は、検出した光（光の輝度、光の色、等）を示す検出値を、ＰＷＭ補正パラメータ決定部２０３へ通知する。ＰＷＭ補正パラメータ決定部２０３では、第２センサ部２０５の検出値（検出結果）に基づいて、バックライトモジュール２０６の劣化度合いが判断される。なお、光源間で劣化度合いが異なる場合がある。そのため、第２センサ部２０５によって各光源からの光が個別に検出されることがより好ましい。具体的には、複数の光源にそれぞれ対応する複数の光センサが使用されることが好ましい。その場合には、ＰＷＭ補正パラメータ決定部２０３において、複数の光センサの検出値から、各光源の劣化度合いが判断される。具体的には、光源に対応する光センサの検出値から、当該光源の劣化度合いが判断される。そして、光源のＰＷＭ補正パラメータを決定するために、当該光源の劣化度合いが使用される。それにより、光源間における劣化度合いのばらつきに起因した光源間における発光輝度のムラの発生を抑制することができる。
【００４７】
バックライトモジュール２０６は、上述した複数の光源を有する発光部である。バックライトモジュール２０６は、液晶パネル２１０の背面に光を照射する。光源としては、発光ダイオード、有機ＥＬ素子、プラズマ素子、冷陰極管、等を使用することができる。
【００４８】
輝度推定部２０７は、ＰＷＭ補正部２０２から出力された発光輝度データに基づいて、バックライトモジュール２０６から発せられた光の輝度分布を推定する。輝度推定部２０７では、画像表示装置２００の状態を考慮した輝度分布が推定される。そして、輝度推定部２０７は、輝度分布の推定結果を画像補正パラメータ決定部２０８へ通知する。
【００４９】
画像補正パラメータ決定部２０８は、輝度推定部２０７で推定された輝度分布に基づいて、画像データを補正するパラメータである画像補正パラメータを決定する。そして、画像補正パラメータ決定部２０８は、決定した画像補正パラメータを画像補正部２０９へ出力する。バックライトモジュール２０６の発光輝度が基準輝度から低減された画面領域（画面内の領域）では、発光輝度の低下により、表示輝度（画面上の輝度）が低下する。同様に、バックライトモジュール２０６の発光輝度が基準輝度から高められた画面領域では、発光輝度の増加により、表示輝度が増加する。画像補正パラメータ決定部２０８では、このようの表示輝度の変化を低減するパラメータが、画像補正パラメータとして決定される。ここで、「低減」は「相殺」を含む。
【００５０】
画像補正部２０９は、接続ケーブル３００を介して情報処理装置１００から、対象画像データを取得する（画像データ取得処理）。画像補正部２０９は、ＰＷＭ補正部２０２により生成された発光輝度データに基づいて、取得した対象画像データを補正する。それにより、表示画像データが生成される。具体的には、画像補正部２０９は、画像補正パラメータ決定部２０８により決定された画像補正パラメータを用いて対象画像データを補正することにより、表示画像データを生成する。例えば、補正パラメータはゲイン値とオフセット値の少なくとも一方を含む。そして、画像補正部２０９では、対象画像データのＲ値、Ｇ値、及び、Ｂ値の少なくともいずれかにゲイン値を乗算する処理、対象画像データのＲ値、Ｇ値、及び、Ｂ値の少なくともいずれかにオフセット値を加算する処理、等が行われる。そして、画像補正部２０９は、生成した表示画像データを液晶パネル２１０へ出力する。
【００５１】
なお、補正パラメータの種類、画像補正部２０９で行われる画像処理、等は特に限定されない。例えば、補正パラメータは、補正前の画素値と補正後の画素値との対応関係を示す情報（関数やテーブル）であってもよい。また、対象画像データのデータフォーマットは、画素値としてＲＧＢ値を用いるデータフォーマットに限られない。例えば、対象画像データの画素値はＹＣｂＣｒ値であってもよい。
【００５２】
液晶パネル２１０は、バックライトモジュール２０６からの光を、画像補正部２０９から出力された表示画像データに応じて透過することにより、画面に画像を表示する表示パネルである。
【００５３】
図２（Ｄ），３（Ｂ），４（Ｂ），５（Ａ），５（Ｂ）は、本実施例に係る表示画像（画面に表示された画像）の一例を示す。図２（Ｄ）は、図２（Ａ）の元画像が右寄りに配置されている例を示す。この場合には、図２（Ａ）〜２（Ｃ）を用いて説明した上記処理により、観察領域である被検体領域の少なくとも一部を含む分割領域が、ＤＬ禁止領域として検出される。その結果、観察領域である被検体領域において、バックライトモジュール２０６の発光輝度が基準輝度に制御され、高い色再現性での画像表示が行われる。一方、背景（被検体領域以外の領域）においては、バックライトモジュール２０６の発光輝度が基準輝度から低減され、黒色の表示輝度が低減され、画面全体のコントラスト比が高められる。
【００５４】
図３（Ｂ）は、図２（Ｄ）の表示の後に拡大処理が行われた場合の例を示す。拡大処理は、第１制御部１０１から画像展開部１０３への拡大指示（画像の拡大のための指示）に応じて、画像展開部１０３により行われる。ここで、拡大処理は、元画像を拡大する処理、元画像が配置された画像を拡大する処理、等である。この場合には、画像の変形（拡大）に合わせて、各光源の発光輝度を変更する必要がある。
【００５５】
そこで、第１制御部１０１は、画像の拡大と同様に、図２（Ｂ）の観察領域を拡大する。そして、第１制御部１０１は、拡大後の観察領域の少なくとも一部を含む分割領域がＬ
Ｄ禁止領域として使用されるように、ＬＤ禁止領域およびＬＤ禁止領域情報を更新する。ここでは、更新後のＬＤ禁止領域として、図３（Ａ）に示すＬＤ禁止領域が得られる。また、特徴量取得部１０４により、拡大処理後の対象画像データから特徴量が取得される。その結果、特徴量が、拡大処理後の対象画像データから得られた特徴量に更新される。
【００５６】
そして、目標輝度決定部１０５により、更新後の特徴量と更新後のＬＤ禁止領域情報とに基づいて目標輝度が決定される。その結果、目標輝度が、更新後の情報に基づく目標輝度に更新される。その後、ＰＷＭ仮決定部１０６により、更新後の目標輝度に基づいて目標輝度データが生成され、更新後の目標輝度に基づく目標輝度データが、接続ケーブル３００を介して画像表示装置２００へ出力される。
【００５７】
上記処理により、画像表示装置２００で使用される目標輝度データが、更新後の目標輝度に基づく目標輝度データに更新される。その結果、画像の変形に応じてバックライトモジュール２０６の発光輝度が好適に更新され、画像表示装置２００の表示も好適に更新される。具体的には、拡大後の被検体領域において、バックライトモジュール２０６の発光輝度が基準輝度に制御され、高い色再現性での画像表示が行われる。そして、拡大後の背景において、バックライトモジュール２０６の発光輝度が基準輝度から低減され、黒色の表示輝度が低減され、画面全体のコントラスト比が高められる。
【００５８】
図４（Ｂ）は、図２（Ｄ）の表示の後に、観察画像であるグラフィック画像（観察グラフィック画像）を描画する描画処理が行われた場合の例を示す。描画処理は、第１制御部１０１から画像展開部１０３への描画指示に応じて、画像展開部１０３により行われる。この場合には、観察グラフィック画像の描画に合わせて、各光源の発光輝度を変更する必要がある。
【００５９】
そこで、第１制御部１０１は、観察グラフィック画像の領域を観察領域としてさらに用いて、ＬＤ禁止領域を検出する。具体的には、第１制御部１０１は、観察グラフィック画像の領域の少なくとも一部を含む分割領域と、被検体領域の少なくとも一部を含む分割領域とを、ＬＤ禁止領域として検出する。その結果、ＬＤ分割領域とＬＤ禁止領域情報が、観察グラフィック画像を考慮したものに更新される。ここでは、更新後のＬＤ禁止領域として、図４（Ａ）に示すＬＤ禁止領域が得られる。その後の処理は、図３（Ｂ）を用いて説明した処理と同じである。
【００６０】
上記処理により、観察グラフィック画像の描画に応じてバックライトモジュール２０６の発光輝度が好適に更新され、画像表示装置２００の表示も好適に更新される。具体的には、被検体領域だけでなく、観察グラフィック画像の領域においても、バックライトモジュール２０６の発光輝度が基準輝度に制御され、高い色再現性での画像表示が行われる。そして、被検体領域でも観察グラフィック画像の領域でもない背景において、バックライトモジュール２０６の発光輝度が基準輝度から低減され、黒色の表示輝度が低減され、画面全体のコントラスト比が高められる。
【００６１】
図５（Ａ），５（Ｂ）は、図２（Ｄ）の表示の後に、観察画像でないグラフィック画像（非観察グラフィック画像）を描画する描画処理が行われた場合の例を示す。図５（Ａ）は、非観察グラフィック画像としてカーソル画像が使用された場合の例を示す。図５（Ｂ）は、非観察グラフィック画像としてメニュー画像が使用された場合の例を示す。これらの場合には、各光源の発光輝度を変更する必要はない。そのため、第１制御部１０１は、目標輝度データの更新が行われないように、特徴量取得部１０４、目標輝度決定部１０５、及び、ＰＷＭ仮決定部１０６の少なくともいずれかに対し処理の停止を指示する。この場合には、画像表示装置２００において、ＰＷＭ補正部２０２に既に与えられている目標輝度データを用いて、表示画像が好適に更新される。具体的には、被検体領域において、
バックライトモジュール２０６の発光輝度が基準輝度に制御され、高い色再現性での画像表示が行われる。そして、被検体領域以外の領域（背景と非観察グラフィック画像の領域）において、バックライトモジュール２０６の発光輝度が基準輝度から低減され、黒色の表示輝度が低減され、画面全体のコントラスト比が高められる。
【００６２】
なお、非観察グラフィック画像の領域が観察領域として使用されなければ、図３（Ｂ），４（Ｂ）を用いて説明した処理と同様の処理によって目標輝度データが更新されてもよい。但し、目標輝度データの更新を停止することにより、情報処理装置１００の処理負荷を低減することができる。また、目標輝度データの更新が停止された場合には、情報処理装置１００と画像表示装置２００の間における目標輝度データの送受信が行われない。そのため、画像データのフレーム毎に目標輝度データが送受信される場合に比べ、情報処理装置１００と画像表示装置２００の間における通信量を低減することができる。
【００６３】
図６は、情報処理装置１００と画像表示装置２００の間の通信の一例を示すシーケンス図である。情報処理装置１００と画像表示装置２００の間の通信は、接続ケーブル３００を介して行われる。
【００６４】
まず、時刻ｔ０で、情報処理装置１００と画像表示装置２００が、接続ケーブル３００を用いて互いに接続される。そして、情報処理装置１００の第１制御部１０１が、画像表示装置２００の第２制御部２０１に対して接続要求を送信する。接続要求には、情報処理装置１００のバージョンなどを示す性能情報（識別情報）が含まれる。
【００６５】
次に、時刻ｔ１で、第２制御部２０１が、接続要求を受信し、接続要求を受け付けるか否かを判断する。そして、時刻ｔ２で、第２制御部２０１が、接続要求の受け付けを許可し、第１制御部１０１に対して、接続要求受諾の通知を送信する。次に、時刻ｔ３で、第１制御部１０１が、接続要求受諾の通知を受信する。それにより、画像表示装置２００に対する情報処理装置１００の接続が確立する。なお、第２制御部２０１が接続要求の受け付けを許可しない場合には、第２制御部２０１は、画像表示装置２００に対する情報処理装置１００の接続を拒否し、情報処理装置１００と画像表示装置２００の間の通信が終了される。第２制御部２０１は、例えば、情報処理装置１００のバージョンが古い場合、情報処理装置１００の性能が不足している場合、等において、画像表示装置２００に対する情報処理装置１００の接続を拒否する。
【００６６】
そして、時刻ｔ４で、第１制御部１０１が、目標輝度データの生成に必要なパラメータ（分割領域情報と関係情報）を、第２制御部２０１に要求する。次に、時刻ｔ５で、第２制御部２０１が、パラメータの要求を受信する。そして、時刻ｔ６で、第２制御部２０１が、第１制御部１０１から要求されたパラメータを、第１制御部１０１へ送信する。
【００６７】
次に、時刻ｔ７で、第１制御部１０１が、第２制御部２０１から送信されたパラメータを受信する。そして、第１制御部１０１が処理の準備を行う。具体的には、第１制御部１０１は、受信した分割領域情報を特徴量取得部１０４に対して設定し、受信した関係情報をＰＷＭ仮決定部１０６に対して設定する。
【００６８】
そして、時刻ｔ８で、第１制御部１０１が、第１フレームＦ＃１についての処理が行われるように、情報処理装置１００の各機能部の処理を制御する。それにより、画像展開部１０３は、情報処理装置１００からの指示に応じて、画像記憶部１０２から元画像データを読み出し、第１フレームＦ＃１に対応する対象画像データを生成する。画像展開部１０３は、第１フレームＦ＃１に対応する対象画像データを、特徴量取得部１０４へ出力する。特徴量取得部１０４は、第１制御部１０１によって設定された分割領域情報と、画像展開部１０３から出力された対象画像データとを用いて、複数の分割領域にそれぞれ対応す
る複数の特徴量を取得する。目標輝度決定部１０５は、特徴量取得部１０４によって取得された各分割領域の特徴量に基づいて、各分割領域（各光源）の目標輝度を決定する。第１制御部１０１は、画像記憶部１０２から読み出された元画像データ、第１フレームＦ＃１に対応する対象画像データ、及び、分割領域情報を用いて、図２（Ｂ），２（Ｃ）を用いて説明した処理を行う（ＬＤ禁止領域情報の生成）。目標輝度決定部１０５では、ＬＤ禁止領域（ＬＤ禁止領域情報）を考慮して目標輝度が決定される。そして、ＰＷＭ仮決定部１０６は、第１制御部１０１によって設定された関係情報と、目標輝度決定部１０５によって決定された目標輝度とに基づいて、目標輝度データを生成する。
【００６９】
次に、時刻ｔ９で、第１制御部１０１からの指示に応じて、画像展開部１０３が、第１フレームＦ＃１に対応する対象画像データを、画像表示装置２００の画像補正部２０９へ出力する。また、第１制御部１０１からの指示に応じて、ＰＷＭ仮決定部１０６が、第１フレームＦ＃１に対応する目標輝度データを、画像表示装置２００のＰＷＭ補正部２０２へ出力する。
【００７０】
そして、時刻ｔ１０で、第１フレームＦ＃１に対応する対象画像データを画像補正部２０９が受信し、第１フレームＦ＃１に対応する目標輝度データをＰＷＭ補正部２０２が受信する。その後、画像表示装置２００において、第１フレームＦ＃１に対応する画像を表示するための処理が行われる。具体的には、ＰＷＭ補正パラメータ決定部２０３により、第１センサ部２０４と第２センサ部２０５の検出値に基づいて、画像表示装置２００の現在の状態に対応するＰＷＭ補正パラメータが決定される。そして、ＰＷＭ補正部２０２により、画像表示装置２００の現在の状態に対応するＰＷＭ補正パラメータを用いて、第１フレームＦ＃１に対応する目標輝度データが補正される。それにより、第１フレームＦ＃１に対応する発光輝度データが生成される。また、輝度推定部２０７と画像補正パラメータ決定部２０８により、第１フレームＦ＃１に対応する発光輝度データから、第１フレームＦ＃１に対応する画像補正パラメータが決定される。そして、画像補正部２０９により、第１フレームＦ＃１に対応する画像補正パラメータを用いて、第１フレームＦ＃１に対応する対象画像データが補正される。それにより、第１フレームＦ＃１に対応する表示画像データが生成される。
【００７１】
次に、時刻ｔ１１で、バックライトモジュール２０６が、第１フレームＦ＃１に対応する発光輝度データに応じて発光する。そして、液晶パネル２１０が、第１フレームＦ＃１に対応する表示画像データに応じた透過率で、バックライトモジュール２０６からの光を透過する。それにより、第１フレームＦ＃１に対応する画像が画面に表示される。
【００７２】
また、時刻ｔ９で、第１制御部１０１が、第２フレームＦ＃２についての処理が行われるように、情報処理装置１００の各機能部の処理を制御する。第２フレームＦ＃２の表示については、図３（Ｂ），４（Ｂ）に例示されたようなイベントが発生していないものとする。即ち、第２フレームＦ＃２の表示については、各光源の発光輝度を変更する必要がないものとする。このため、第１制御部１０１は、画像表示装置２００へ新たな目標輝度データ（第２フレームＦ＃２に対応する目標輝度データ）を出力するための制御を省略する。第２フレームＦ＃１に対応する対象画像データの生成は行われる。
【００７３】
そして、時刻ｔ１２で、第１制御部１０１からの指示に応じて、画像展開部１０３が、第２フレームＦ＃２に対応する対象画像データを画像補正部２０９へ出力する。ＰＷＭ仮決定部１０６は、ＰＷＭ補正部２０２への目標輝度データの出力を行わない。
【００７４】
次に、時刻ｔ１３で、第２フレームＦ＃２に対応する対象画像データを画像補正部２０９が受信する。その後、画像表示装置２００において、第２フレームＦ＃２に対応する画像を表示するための処理が行われる。基本的には、「第２フレームＦ＃２に対応する画像
を表示するための処理」は、上述した「第１フレームＦ＃１に対応する画像を表示するための処理」と同じである。但し、ＰＷＭ補正部２０２は、新たな目標輝度データ（第２フレームＦ＃２に対応する目標輝度データ）を受信しない。そのため、時刻ｔ１３では、既に受信されている前回の目標輝度データ（第１フレームＦ＃１に対応する目標輝度データ）が、第２フレームＦ＃２に対応する目標輝度データとして使用される。具体的には、画像表示装置２００の現在の状態に対応するＰＷＭ補正パラメータを用いて、第１フレームＦ＃１に対応する目標輝度データが補正される。それにより、第２フレームＦ＃２に対応する発光輝度データが生成される。そして、第２フレームＦ＃２に対応する発光輝度データに基づいて、第２フレームＦ＃２に対応する対象画像データが補正される。それにより、第２フレームＦ＃２に対応する表示画像データが生成される
【００７５】
そして、時刻ｔ１３で、バックライトモジュール２０６が、第２フレームＦ＃２に対応する発光輝度データに応じて発光する。そして、液晶パネル２１０が、第２フレームＦ＃２に対応する表示画像データに応じた透過率で、バックライトモジュール２０６からの光を透過する。それにより、第２フレームＦ＃２に対応する画像が画面に表示される。
【００７６】
また、時刻ｔ１２で、第１制御部１０１が、第３フレームＦ＃３についての処理が行われるように、情報処理装置１００の各機能部の処理を制御する。第３フレームＦ＃３の表示については、図３（Ｂ），４（Ｂ）に例示されたようなイベントが発生しているものとする。即ち、第３フレームＦ＃３の表示については、各光源の発光輝度を変更する必要があるものとする。このため、第１制御部１０１は、画像表示装置２００へ新たな目標輝度データ（第３フレームＦ＃３に対応する目標輝度データ）を出力するための制御を行う。もちろん、第３フレームＦ＃３に対応する対象画像データの生成も行われる。ここでは、特徴量取得部１０４は、第３フレームＦ＃３に対応する対象画像データから特徴量を新たに取得する。第１制御部１０１は、発生したイベントに応じてＬＤ禁止領域情報を補正することにより、新たなＬＤ禁止領域情報を生成する。目標輝度決定部１０５は、新たな特徴量と新たなＬＤ禁止領域情報とに基づいて、各光源の目標輝度を新たに決定する。そして、ＰＷＭ仮決定部１０６は、新たな目標輝度に基づいて、新たな目標輝度データを、第３フレームＦ＃３に対応する目標輝度データとして生成する。
【００７７】
そして、時刻ｔ１５で、第１制御部１０１からの指示に応じて、画像展開部１０３が、第３フレームＦ＃３に対応する対象画像データを画像補正部２０９へ出力する。また、第１制御部１０１からの指示に応じて、ＰＷＭ仮決定部１０６が、第３フレームＦ＃３に対応する目標輝度データを、ＰＷＭ補正部２０２へ出力する。次に、時刻ｔ１６で、第３フレームＦ＃３に対応する対象画像データを画像補正部２０９が受信し、第３フレームＦ＃３に対応する目標輝度データをＰＷＭ補正部２０２が受信する。その後、画像表示装置２００において、第３フレームＦ＃３に対応する画像を表示するための処理が行われる。「第３フレームＦ＃３に対応する画像を表示するための処理」は、上述した「第１フレームＦ＃１に対応する画像を表示するための処理」と同じである。そして、バックライトモジュール２０６が、第３フレームＦ＃３に対応する発光輝度データに応じて発光する。そして、液晶パネル２１０が、第３フレームＦ＃３に対応する表示画像データに応じた透過率で、バックライトモジュール２０６からの光を透過する。それにより、第３フレームＦ＃３に対応する画像が画面に表示される。
【００７８】
また、時刻ｔ１５で、第１制御部１０１が、第４フレームＦ＃４についての処理が行われるように、情報処理装置１００の各機能部の処理を制御する。第４フレームＦ＃４の表示については、図３（Ｂ），４（Ｂ）に例示されたようなイベントが発生していないものとする。即ち、第４フレームＦ＃４の表示については、各光源の発光輝度を変更する必要がないものとする。このため、第１制御部１０１は、画像表示装置２００へ新たな目標輝度データ（第４フレームＦ＃４に対応する目標輝度データ）を出力するための制御を省略
する。第４フレームＦ＃４に対応する対象画像データの生成は行われる。
【００７９】
そして、時刻ｔ１８で、第１制御部１０１からの指示に応じて、画像展開部１０３が、第４フレームＦ＃４に対応する対象画像データを画像補正部２０９へ出力する。ＰＷＭ仮決定部１０６は、ＰＷＭ補正部２０２への目標輝度データの出力を行わない。
【００８０】
次に、時刻ｔ１９で、第４フレームＦ＃４に対応する対象画像データを画像補正部２０９が受信する。その後、画像表示装置２００において、第４フレームＦ＃４に対応する画像を表示するための処理が行われる。基本的には、「第４フレームＦ＃４に対応する画像を表示するための処理」は、上述した「第１フレームＦ＃１に対応する画像を表示するための処理」と同じである。但し、ＰＷＭ補正部２０２は、新たな目標輝度データ（第４フレームＦ＃４に対応する目標輝度データ）を受信しない。そのため、時刻ｔ１９では、既に受信されている前回の目標輝度データ（第３フレームＦ＃３に対応する目標輝度データ）が、第４フレームＦ＃４に対応する目標輝度データとして使用される。具体的には、画像表示装置２００の現在の状態に対応するＰＷＭ補正パラメータを用いて、第３フレームＦ＃３に対応する目標輝度データが補正される。それにより、第４フレームＦ＃４に対応する発光輝度データが生成される。そして、第４フレームＦ＃４に対応する発光輝度データに基づいて、第４フレームＦ＃４に対応する対象画像データが補正される。それにより、第４フレームＦ＃４に対応する表示画像データが生成される
【００８１】
そして、時刻ｔ２０で、バックライトモジュール２０６が、第４フレームＦ＃４に対応する発光輝度データに応じて発光する。そして、液晶パネル２１０が、第４フレームＦ＃４に対応する表示画像データに応じた透過率で、バックライトモジュール２０６からの光を透過する。それにより、第４フレームＦ＃４に対応する画像が画面に表示される。
【００８２】
図７（Ａ）は、情報処理装置１００の動作の一例を示すフローチャートである。まず、Ｓ１２０にて初期設定処理が行われる。図７（Ｂ）は、Ｓ１２０の初期設定処理の一例を示すフローチャートである。まず、Ｓ１１０にて、画像表示装置２００に対する情報処理装置１００の接続が確立する。Ｓ１１０の処理は、図６の時刻ｔ０から時刻ｔ３までの期間に行われる。次に、Ｓ１１１にて、情報処理装置１００の第１制御部１０１が、目標輝度データ（各光源の仮のＰＷＭ値）の生成に必要なパラメータである分割領域情報と関係情報を、画像表示装置２００の第２制御部２０１に要求する。Ｓ１１１の処理は、図６の時刻ｔ４に行われる。そして、Ｓ１１２にて、第１制御部１０１が、Ｓ１１１の要求に応じて取得された分割領域情報を特徴量取得部１０４へ設定し、Ｓ１１３にて、第１制御部１０１が、Ｓ１１１の要求に応じて取得された関係情報をＰＷＭ仮決定部１０６へ設定する。Ｓ１１２とＳ１１３の処理は、図６の時刻ｔ７に行われる。次に、Ｓ１１４にて、画像展開部１０３が、第１制御部１０１からの指示に応じて、画像記憶部１０２から元画像データを読み出し、第１フレームＦ＃１に対応する対象画像データを生成する。そして、Ｓ１１５にて、第１制御部１０１が、元画像データに対する画像解析（図２（Ｂ）を用いて説明した画像解析）を行うことにより、観察領域を検出する。Ｓ１１４とＳ１１５の処理は、図６の時刻ｔ８から時刻ｔ９までの期間に行われる。
【００８３】
図７（Ａ）のＳ１２０の次に、Ｓ１２１にて、第１制御部１０１は、各光源の発光輝度を変更する必要があるか否かを判断する。第１フレームＦ＃１については、「各光源の発光輝度を変更する必要がある」と判断される。第２フレームＦ＃２以降のフレームについては、図３（Ｂ），４（Ｂ）に例示されたようなイベントが発生した場合に、「各光源の発光輝度を変更する必要がある」と判断される。即ち、観察領域の変化が生じた場合に、「各光源の発光輝度を変更する必要がある」と判断される。「各光源の発光輝度を変更する必要がある」と判断された場合には、Ｓ１２２へ処理が進められ、「各光源の発光輝度を変更する必要が無い」と判断された場合には、Ｓ１２３へ処理が進められる。
【００８４】
図６の時刻ｔ８から時刻ｔ９までの期間では、処理対象が第１フレームＦ＃１であるため、Ｓ１２２へ処理が進められる。図６の時刻ｔ１２から時刻ｔ１５までの期間では、処理対象が第３フレームＦ＃３であり、且つ、図３（Ｂ），４（Ｂ）に例示されたようなイベントが発生するため、Ｓ１２２へ処理が進められる。
【００８５】
Ｓ１２２にて、特徴量取得部１０４、目標輝度決定部１０５、及び、ＰＷＭ仮決定部１０６により、処理対象のフレームに対応する仮のＰＷＭ値が決定される。ここでは、上述したように、Ｓ１１５の画像解析の結果、発生したイベント、取得された特徴量、分割領域情報、関係情報、等に基づいて、各光源の仮のＰＷＭ値が決定される。そして、ＰＷＭ仮決定部１０６が、処理対象のフレームに対応する仮のＰＷＭ値を、画像表示装置２００のＰＷＭ補正部２０２へ送信する。その後、Ｓ１２３へ処理が進められる。
【００８６】
図６の時刻ｔ９から時刻ｔ１２までの期間では、処理対象が第２フレームＦ＃２であり、且つ、図３（Ｂ），４（Ｂ）に例示されたようなイベントが発生しないため、Ｓ１２２の処理が省略され、Ｓ１２１からＳ１２３へ処理が進められる。同様に、図６の時刻ｔ１５から時刻ｔ１８までの期間では、処理対象が第４フレームＦ＃４であり、且つ、図３（Ｂ），４（Ｂ）に例示されたようなイベントが発生しないため、Ｓ１２２の処理が省略され、Ｓ１２１からＳ１２３へ処理が進められる。
【００８７】
Ｓ１２３にて、画像展開部１０３が、処理対象のフレームに対応する対象画像データを、画像表示装置２００の画像補正部２０９へ出力する。第１フレームＦ＃１に対応する対象画像データは、図７（Ｂ）のＳ１１４の処理により生成される。第１フレームＦ＃１以降のフレームに対応する対象画像データは、Ｓ１２４からＳ１２１へ処理が戻される際に、画像展開部１０３により生成される。
【００８８】
そして、Ｓ１２４にて、第１制御部１０１が、処理を継続するか否かを判断する。具体的には、第１制御部１０１は、次のフレームに対する処理を行うか否かを判断する。処理を継続する場合には、次のフレームへ処理対象のフレームが更新され、Ｓ１２１へ処理が戻される。処理対象のフレームが更新されると、第１制御部１０１は、画像展開部１０３に対して対象画像データの更新を指示する。そして、画像展開部１０３は、第１制御部１０１からの指示に応じて、更新後の処理対象のフレームに対応する対象画像データを生成する。処理を継続しない場合には、本フローチャートが終了される。
【００８９】
図８（Ａ）は、画像表示装置２００の動作の一例を示すフローチャートである。まず、Ｓ１３０にて初期設定処理が行われる。図８（Ｂ）は、Ｓ１３０の初期設定処理の一例を示すフローチャートである。まず、Ｓ１００にて、画像表示装置２００に対する情報処理装置１００の接続が確立する。Ｓ１００の処理は、図６の時刻ｔ０から時刻ｔ３までの期間に行われる。そして、Ｓ１０１にて、画像表示装置２００の第２制御部２０１が、情報処理装置１００の第１制御部１０１から、目標輝度データ（各光源の仮のＰＷＭ値）の生成に必要なパラメータの要求を受信し、第１制御部１０１へパラメータを送信する。Ｓ１００の処理は、図６の時刻ｔ５から時刻ｔ６までの期間に行われる。
【００９０】
図８（Ａ）のＳ１３０の次に、Ｓ１３１にて、ＰＷＭ補正部２０２が、情報処理装置１００のＰＷＭ仮決定部１０６から仮のＰＷＭ値を受信したか否かを判断する。Ｓ１３１の処理は、図６の時刻ｔ１０、時刻ｔ１３、時刻ｔ１６、時刻ｔ１９、等において行われる。仮のＰＷＭ値を受信したと判断された場合には、Ｓ１３２へ処理が進められる。仮のＰＷＭ値を受信しなかったと判断された場合には、Ｓ１３２の処理が省略され、Ｓ１３１からＳ１３３へ処理が進められる。図６の例では、処理対象が第１フレームＦ＃１である場合と、処理対象が第３フレームＦ＃３である場合とにおいて、ＰＷＭ仮決定部１０６から
ＰＷＭ補正部２０２へ仮のＰＷＭ値が送信される。そのため、Ｓ１３２へ処理が進められる。一方、処理対象が第２フレームＦ＃２である場合と、処理対象が第４フレームＦ＃４である場合とにおいては、ＰＷＭ仮決定部１０６からＰＷＭ補正部２０２へ仮のＰＷＭ値が送信されない。そのため、Ｓ１３２の処理が省略され、Ｓ１３３へ処理が進められる。
【００９１】
Ｓ１３２にて、ＰＷＭ補正部２０２が、処理対象のフレームに対応する仮のＰＷＭ値（今回使用する仮のＰＷＭ値）を、前回使用された仮のＰＷＭ値から、Ｓ１３１の処理により受信された仮のＰＷＭ値へ更新する。そのため、Ｓ１３２の処理が省略された場合には、ＰＷＭ補正部２０２は、前回使用された仮のＰＷＭ値を、処理対象のフレームに対応する仮のＰＷＭ値として引き続き使用する。
【００９２】
Ｓ１３３にて、ＰＷＭ補正パラメータ決定部２０３が、第１センサ部２０４と第２センサ部２０５の検出値に基づいて、ＰＷＭ補正パラメータを決定する。次に、Ｓ１３４にて、ＰＷＭ補正部２０２が、Ｓ１３３の処理により決定されたＰＷＭ補正パラメータを用いて、処理対象のフレームに対応する仮のＰＷＭ値を補正する。それにより、処理対象のフレームに対応する発光輝度データ（各光源のＰＷＭ値）が生成される。そして、Ｓ１３５にて、処理対象のフレームに対応する表示画像データが生成される。具体的には、輝度推定部２０７と画像補正パラメータ決定部２０８により、Ｓ１３４の処理により決定された発光輝度データから、処理対象のフレームに対応する画像補正パラメータが決定される。そして、画像補正部２０９により、処理対象のフレームに対応する画像補正パラメータを用いて、処理対象のフレームに対応する対象画像データが補正される。それにより、処理対象のフレームに対応する表示画像データが生成される。
【００９３】
処理対象のフレームに対応する対象画像データは、画像補正部２０９が情報処理装置１００の画像展開部１０３を受信した画像データである。図６の例では、画像補正部２０９は、図６の時刻ｔ１０、時刻ｔ１３、時刻ｔ１６、時刻ｔ１９、等において、処理対象のフレームに対応する対象画像データを受信する。
【００９４】
次に、Ｓ１３６にて、液晶パネル２１０が、Ｓ１３５の処理により生成された表示画像データに応じて、液晶パネル２１０の各表示素子（各液晶素子）を駆動する。それにより、各液晶素子の透過率が、表示画像データに応じた透過率に制御される。そして、Ｓ１３７にて、バックライトモジュール２０６（バックライトモジュール２０６の各光源）が、Ｓ１３４の処理により生成された発光輝度データに応じて発光する。Ｓ１３６とＳ１３７の処理により、処理対象のフレームに対応する画像が表示される。
【００９５】
そして、Ｓ１３８にて、画像補正部２０９が、次のフレームに対応する対象画像データの入力を待つ。次のフレームに対応する対象画像データが画像補正部２０９に入力された場合には、当該次のフレームへ処理対象のフレームが更新され、Ｓ１３１へ処理が戻される。次のフレームに対応する対象画像データが画像補正部２０９に入力されなかった場合には、本フローチャートが終了される。
【００９６】
以上述べたように、本実施例によれば、情報処理装置により、画像解析（観察領域の検出、ＬＤ禁止領域の検出、等）、目標輝度（仮の発光輝度）の決定、等が行われる。そのため、目標輝度を高精度に決定することができると共に、画像表示装置の処理負荷を低減することができる。また、画像表示装置により、画像表示装置の状態に基づいて目標輝度が補正され、補正後の目標輝度に基づいて対象画像データが補正される。そして、画像表示装置により、補正後の目標輝度に応じて発光部の発光輝度が制御され、補正後の対象画像データに応じて表示パネルの透過率が制御される。それにより、所望の表示画像を高精度に得ることができる。例えば、観察領域における色再現性が高く、且つ、画面全体のコントラスト比が高い表示画像を高精度に得ることができる。
【００９７】
さらに、本実施例によれば、発光部の発光輝度の変更が必要とされない期間（所定のイベントが発生しない期間など）において、情報処理装置による目標輝度データの生成（更新）と、情報処理装置から画像表示装置への目標輝度データの送信とが省略される。それにより、情報処理装置の処理負荷を低減したり、情報処理装置と画像表示装置の間における通信量を低減したりすることができる。
【００９８】
＜実施例２＞
以下、本発明の実施例２について説明する。実施例１では、複数の光源のそれぞれについて目標輝度に対応する駆動信号を示すデータが目標輝度データとして情報処理装置において生成される例を説明した。本実施例では、各光源の目標輝度を示すデータが目標輝度データとして情報処理装置において生成される例を説明する。「各光源の目標輝度を示すデータ」は、例えば、「各光源の目標輝度が記述されたデータ」である。目標輝度として、単位「ｃｄ／ｍ２」を有する値が記述されていてもよいし、単位「％」を有する値が記述されていてもよい。単位「％」を有する目標輝度は、「発光輝度の上限値に対する目標輝度の割合」とも言える。なお、以下では、実施例１と異なる構成や処理について詳しく説明し、実施例１と同様の構成や処理についての説明は省略する。
【００９９】
図９は、本実施例に係る画像表示システムの構成の一例を示す構成図である。本実施例に係る画像表示システムは、情報処理装置４００と画像表示装置５００を有する。図９の例では、接続ケーブル６００を用いて、情報処理装置４００と画像表示装置５００が互いに接続されている。本実施例では、実施例１（図１）の接続ケーブル３００の代わりに接続ケーブル６００が使用される。接続ケーブル６００は、接続ケーブル３００と同じケーブルであってもよいし、接続ケーブル３００と異なるケーブルであってもよい。
【０１００】
情報処理装置４００の構成について説明する。図９に示すように、情報処理装置４００は、実施例１のＰＷＭ仮決定部１０６を有していない。第１制御部４０１は、実施例１の第１制御部１０１と同等の機能を有する。但し、情報処理装置４００がＰＷＭ仮決定部１０６を有していないため、第１制御部４０１がＰＷＭ仮決定部１０６の処理を制御することはない。また、実施例１で述べた関係情報（発光輝度と駆動信号（ＰＷＭ値）との対応関係に関する情報）は、ＰＷＭ仮決定部１０６で使用される情報であり、情報処理装置４００では使用されない。そのため、第１制御部４０１が関係情報を取得する処理は行われない。本実施例に係る目標輝度決定部１０５は、実施例１の目標輝度決定部１０５と同等の機能を有する。但し、本実施例に係る目標輝度決定部１０５は、接続ケーブル６００を介して画像表示装置５００へ、各光源の目標輝度を示す目標輝度データを出力する。具体的には、目標輝度決定部１０５は、各光源の目標輝度を、目標輝度データとして出力する。
【０１０１】
画像表示装置５００の構成について説明する。図９に示すように、画像表示装置５００は、実施例１の画像表示装置２００に設けられた各機能部の他に、ＰＷＭ仮決定部５０２をさらに有する。第２制御部５０１は、実施例１の第２制御部２０１と同等の機能を有する。但し、第２制御部５０１は、関係情報を情報処理装置４００に出力しない。そのため、本実施例では、実施例１に係る画像表示システムと比較して、情報処理装置と画像表示装置の間における通信量（初期設定処理についての通信量）を低減することができる。ＰＷＭ仮決定部５０２は、実施例１のＰＷＭ仮決定部１０６と同等の機能を有する。具体的には、ＰＷＭ仮決定部５０２は、接続ケーブル６００を介して情報処理装置４００から目標輝度データ（各光源の目標輝度）を取得する。ＰＷＭ仮決定部５０２は、複数の光源のそれぞれについて、取得した目標輝度からＰＷＭ値（駆動信号の値）を決定する。そして、ＰＷＭ仮決定部５０２は、各光源のＰＷＭ値（上記決定したＰＷＭ値）をＰＷＭ補正部２０２へ出力する。本実施例では、第２制御部５０１からＰＷＭ仮決定部５０２へ関係情
報が通知される。そして、ＰＷＭ仮決定部５０２は、通知された関係情報に基づいて、取得した目標輝度をＰＷＭ値へ変換する。
【０１０２】
図１０（Ａ）は、情報処理装置４００の動作の一例を示すフローチャートである。図１０（Ａ）に示すように、本実施例では、図７（Ａ）のＳ１２０の処理の代わりにＳ２２０の処理が行われ、Ｓ１２２の処理の代わりにＳ２２２の処理が行われる。
【０１０３】
Ｓ２２０にて、初期設定処理が行われる。図１０（Ｂ）は、Ｓ２２０の初期設定処理の一例を示すフローチャートである。図１０（Ｂ）に示すように、Ｓ２２０の初期設定処理として、図７（Ｂ）のフローチャートからＳ１１３の処理を除いた処理が行われる。但し、本実施例では、Ｓ１１１において、目標輝度データ（各光源の目標輝度）の生成に必要なパラメータの要求として、分割領域情報の要求が行われ、関係情報の要求は行われない。
【０１０４】
Ｓ２２２にて、特徴量取得部１０４と目標輝度決定部１０５により、処理対象のフレームに対応する目標輝度（各光源の目標輝度）が決定される。そして、目標輝度決定部１０５は、処理対象のフレームに対応する目標輝度を、画像表示装置５００のＰＷＭ仮決定部５０２へ送信する。
【０１０５】
図１１（Ａ）は、画像表示装置５００の動作の一例を示すフローチャートである。図１１（Ａ）に示すように、本実施例では、図８（Ａ）のＳ１３０の処理の代わりにＳ２３０の処理が行われ、Ｓ１３１の処理の代わりにＳ２３１の処理が行われ、Ｓ２３１の処理とＳ１３２の処理の間にＳ２３２の処理が行われる。
【０１０６】
Ｓ２３０にて、初期設定処理が行われる。図１１（Ｂ）は、Ｓ２３０の初期設定処理の一例を示すフローチャートである。図１１（Ｂ）に示すように、Ｓ２３０の初期設定処理として、図８（Ｂ）のフローチャートにＳ２０２の処理を追加した処理が行われる。但し、本実施例では、Ｓ１０１において、画像表示装置５００の第２制御部５０１は、情報処理装置４００の第１制御部４０１へ、関係情報を送信せずに、分割領域情報を送信する。Ｓ２０２にて、第２制御部５０１は、関係情報をＰＷＭ仮決定部５０２へ設定する。
【０１０７】
Ｓ２３１にて、ＰＷＭ仮決定部５０２は、情報処理装置４００の目標輝度決定部１０５から目標輝度を受信したか否かを判断する。目標輝度を受信したと判断された場合には、Ｓ２３２へ処理が進められる。目標輝度を受信しなかったと判断された場合には、Ｓ２３２とＳ１３２の処理が省略され、Ｓ２３１からＳ１３３へ処理が進められる。
【０１０８】
Ｓ２３２にて、ＰＷＭ仮決定部５０２が、Ｓ２０２の処理により設定された関係情報を用いて、Ｓ２３１に処理により受信された目標輝度をＰＷＭ値に変換する。それにより、仮のＰＷＭ値が決定される。そして、Ｓ１３２にて、ＰＷＭ補正部２０２が、処理対象のフレームに対応する仮のＰＷＭ値（今回使用する仮のＰＷＭ値）を、前回使用された仮のＰＷＭ値から、Ｓ２３２の処理により決定された仮のＰＷＭ値へ更新する。
【０１０９】
以上述べたように、本実施例によれば、画像表示システム全体の処理として、実施例１と同様の処理が行われる。それにより、画像表示装置の処理負荷を低減しつつ所望の表示画像を高精度に得ることができる。さらに、本実施例によれば、画像表示装置から情報処理装置への関係情報の伝送は行われずに、各光源の目標輝度を示すデータが目標輝度データとして使用される。それにより、実施例１に係る画像表示システムと比較して、情報処理装置と画像表示装置の間における通信量（初期設定処理についての通信量）を低減することができる。
【０１１０】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１１１】
１００，４００：情報処理装置  １０４：特徴量取得部  １０５：目標輝度決定部
１０６，５０２：ＰＷＭ仮決定部  ２００，５００：画像表示装置
２０２：ＰＷＭ補正部  ２０３：補正パラメータ決定部
２０６：バックライトモジュール  ２０７：輝度推定部
２０８：画像補正パラメータ決定部  ２０９：画像補正部  ２１０：液晶パネル
５０２：ＰＷＭ仮決定部
【図１】
2017161767.tif 000003
【図２】
2017161767.tif 000004
【図３】
2017161767.tif 000005
【図４】
2017161767.tif 000006
【図５】
2017161767.tif 000007
【図６】
2017161767.tif 000008
【図７】
2017161767.tif 000009
【図８】
2017161767.tif 000010
【図９】
2017161767.tif 000011
【図１０】
2017161767.tif 000012
【図１１】
2017161767.tif 000013
【図１２】
2017161767.tif 000014